(57)【要約】【課題】  携帯電話装置にて地上波ＴＶを視聴する場合、限られた電池容量でより長時間のＴＶ視聴が可能となるＴＶ機能付き携帯電話装置を提供する。【解決手段】  ＴＶ放送を受信するＴＶ機能付き携帯電話装置であって、ＴＶ電波及び携帯電話電波をキャッチする電波受信手段と、ＴＶ電波と携帯電話電波とを分別する電波分別手段と、携帯電話の送信及び受信を切り替える送受信切替手段と、ＴＶの音声を検波する音声検波手段と、ＴＶの映像を検波する映像検波手段と、アナログ信号をデジタル信号に変換する信号変換手段と、画像及び文字を表示する表示手段と、音声を出力する音声出力手段と、送受信切替手段、音声検波手段、映像検波手段、及び信号変換手段の動作を制御し、かつ電源の制御を行う制御手段と、制御手段が映像検波手段と信号変換手段とを間欠動作で制御し、低消費電流の低電力モードを備える。【選択図】  図１
2005072803.tif 000002
【特許請求の範囲】
【請求項１】
ＴＶ放送を受信するＴＶ機能付き携帯電話装置であって、
ＴＶ電波及び携帯電話電波をキャッチする電波受信手段と、
前記ＴＶ電波と前記携帯電話電波とを分別する電波分別手段と、
携帯電話の送信及び受信を切り替える送受信切替手段と、
ＴＶの音声を検波する音声検波手段と、
ＴＶの映像を検波する映像検波手段と、
アナログ信号をデジタル信号に変換する信号変換手段と、
画像及び文字を表示する表示手段と、
音声を出力する音声出力手段と、
前記送受信切替手段、前記音声検波手段、前記映像検波手段、及び前記信号変換手段の動作を制御し、かつ電源の制御を行う制御手段と、
前記制御手段が前記映像検波手段と前記信号変換手段とを間欠動作で制御することにより電池寿命を長くすることを特徴とするＴＶ機能付き携帯電話装置。
【請求項２】
ＴＶ画像の画面単位であるフレームを受信するＴＶ受信手段をさらに有し、
前記ＴＶ受信手段は、連続した全てのフレームを受信し、前記連続した全てのフレームを前記画像検波手段で検波し、受信画像として前記表示手段に映し出す通常モードを有することを特徴とする請求項１記載のＴＶ機能付き携帯電話装置。
【請求項３】
前記ＴＶ機能をＯＮした場合、前記ＴＶ受信手段、前記音声検波手段、前記画像検波手段、前記信号変換手段をＯＮとし、ＴＶ受信手段安定時間、音声検波手段安定時間、画像検波手段安定時間、信号変換手段安定時間を経て前記受信画像を映すことを特徴とする請求項１または２記載のＴＶ機能付き携帯電話装置。
【請求項４】
前記フレームを１つ飛ばしに検波する低電力モードを有することを特徴とする請求項１から３のいずれか１項に記載のＴＶ機能付き携帯電話装置。
【請求項５】
奇数フレームの時だけ画像検波手段及び信号変換手段をＯＮとし、偶数フレームの時は画像検波手段及び信号変換手段をＯＦＦとすることを特徴とする請求項１から４のいずれか１項に記載のＴＶ機能付き携帯電話装置。
【請求項６】
前記画像検波部安定時間及びＮＴＳＣデコーダ安定時間において前記画像検波手段及び前記信号変換手段を立ち上げ、前記奇数フレームを全て検波し、前記受信画像とすることを特徴とする請求項１から５のいずれか１項に記載のＴＶ機能付き携帯電話装置。
【請求項７】
画像検波していない前記偶数フレームでは、画面を消さずに２フレーム連続して１フレーム分を画面表示することを特徴とする請求項１から６のいずれか１項に記載のＴＶ機能付き携帯電話装置。
【請求項８】
前記低電力モードは、２フレーム中１フレーム画像検波する３０ｆｐｓ（1frame per second ）の場合、または、４フレーム中１フレーム画像検波する１５ｆｐｓ（1frame per second ）の場合のうちいずれか一方であることを特徴とする請求項４記載のＴＶ機能付き携帯電話装置。
【請求項９】
前記信号変換手段が出す高調波ノイズをタイミング的にずらして携帯電話及びＴＶの競合動作をなくすことを特徴とする請求項１から８のいずれか１項に記載のＴＶ機能付き携帯電話装置。
【発明の詳細な説明】
【技術分野】
【０００１】
本発明は、携帯電話装置に関し、詳しくはＴＶ機能付き携帯電話装置に関する。
【背景技術】
【０００２】
近年、携帯電話の発達はめざましく、カメラ・赤外線・音楽再生・ＴＶなどの付属機能が搭載されている。このように機能が増えれば増えるほどバッテリーへの負荷は重くなるが、最も大切な電話機能が、肝心な時に電池切れで使えないことになっては困るため、携帯電話機の低消費電力化は必須である。また、携帯電話機に付属する付属機能の動作中に肝心なＰＤＣの妨害をしては本末転倒であるので、充分に注意を払わねばならない。
【０００３】
従来技術例として、バッテリー駆動の携帯ＴＶ電話カメラなどのように、特に低い消費電力の実現を高く望まれるシステムに使用される「撮像装置」がある（例えば、特許文献１参照）。また、カメラで撮影している画像データに変化が見られないときにはカメラの電源をＯＦＦにすることによって無駄な消費電力を抑える「携帯テレビ電話端末およびその送信方法」がある（例えば、特許文献２参照）。また、電池残量が減少した場合に音声通信機能以外の機能を停止させ、電話としての動作時間を長く持続できるようにする「電話機能付き携帯通信端末」がある（例えば、特許文献３参照）。
【特許文献１】特開２００１−８６４１２号公報
【特許文献２】特開２００１−１３６４２３号公報
【特許文献３】特開平１１−１８４５７６号公報
【発明の開示】
【発明が解決しようとする課題】
【０００４】
従来、上述した各特許文献記載の発明のように、携帯端末装置の低消費電力化を図ったものはあるが、上記特許文献１記載の発明は、地上波ＴＶを見るための無線検波部を間欠動作させる構成ではなく、地上波ＴＶを受信し検波する機能を有する携帯端末のことを想定していない。また、上記特許文献２記載の発明も、地上波ＴＶを受信し検波する携帯端末のことを想定していない。また、特許文献３記載の発明は、電池残量を監視して閾値よりも低下した場合に音声以外の機能を停止させる構成はない。
【０００５】
よって、ＴＶ機能付き携帯電話におけるＴＶの間欠動作が可能とし、間欠動作タイミングをずらせる構成を有するＴＶ機能付き携帯電話装置が望まれる。
【０００６】
本発明は上記事情に鑑みてなされたものであり、地上波ＴＶを携帯電話装置にて視聴する場合、通常ＴＶ視聴が６０ｆｐｓなのに対し、本発明では３０ｆｐｓもしくは１５ｆｐｓである低電力モードを有し、低電力モード時にはＴＶ映像検波部とＮＴＳＣデコーダを間欠に動作させ、電池寿命を長くさせるＴＶ機能付き携帯電話装置を提供することを目的とする。
【課題を解決するための手段】
【０００７】
かかる目的を達成するために、請求項１記載の発明は、ＴＶ放送を受信するＴＶ機能付き携帯電話装置であって、ＴＶ電波及び携帯電話電波をキャッチする電波受信手段と、ＴＶ電波と携帯電話電波とを分別する電波分別手段と、携帯電話の送信及び受信を切り替える送受信切替手段と、ＴＶの音声を検波する音声検波手段と、ＴＶの映像を検波する映像検波手段と、アナログ信号をデジタル信号に変換する信号変換手段と、画像及び文字を表示する表示手段と、音声を出力する音声出力手段と、送受信切替手段、音声検波手段、映像検波手段、及び信号変換手段の動作を制御し、かつ電源の制御を行う制御手段と、制御手段が映像検波手段と信号変換手段とを間欠動作で制御することにより電池寿命を長くすることを特徴とする。
【０００８】
請求項２記載の発明は、請求項１記載の発明において、ＴＶ画像の画面単位であるフレームを受信するＴＶ受信手段をさらに有し、ＴＶ受信手段は、連続した全てのフレームを受信し、連続した全てのフレームを画像検波手段で検波し、受信画像として表示手段に映し出す通常モードを有することを特徴とする。
【０００９】
請求項３記載の発明は、請求項１または２記載の発明において、ＴＶ機能をＯＮした場合、ＴＶ受信手段、音声検波手段、画像検波手段、信号変換手段をＯＮとし、ＴＶ受信手段安定時間、音声検波手段安定時間、画像検波手段安定時間、信号変換手段安定時間を経て受信画像を映すことを特徴とする。
【００１０】
請求項４記載の発明は、請求項１から３のいずれか１項に記載の発明において、フレームを１つ飛ばしに検波する低電力モードを有することを特徴とする。
【００１１】
請求項５記載の発明は、請求項１から４のいずれか１項に記載の発明において、奇数フレームの時だけ画像検波手段及び信号変換手段をＯＮとし、偶数フレームの時は画像検波手段及び信号変換手段をＯＦＦとすることを特徴とする。
【００１２】
請求項６記載の発明は、請求項１から５のいずれか１項に記載の発明において、画像検波部安定時間及びＮＴＳＣデコーダ安定時間において画像検波手段及び信号変換手段を立ち上げ、奇数フレームを全て検波し、受信画像とすることを特徴とする。
【００１３】
請求項７記載の発明は、請求項１から６のいずれか１項に記載の発明において、画像検波していない偶数フレームでは、画面を消さずに２フレーム連続して１フレーム分を画面表示することを特徴とする。
【００１４】
請求項８記載の発明は、請求項４に記載の発明において、低電力モードは、２フレーム中１フレーム画像検波する３０ｆｐｓ（1frame per second ）の場合、または、４フレーム中１フレーム画像検波する１５ｆｐｓ（1frame per second ）の場合のうちいずれか一方であることを特徴とする。
【００１５】
請求項９記載の発明は、請求項１から８のいずれか１項に記載の発明において、信号変換手段が出す高調波ノイズをタイミング的にずらして携帯電話及びＴＶの競合動作をなくすことを特徴とする。
【発明の効果】
【００１６】
本発明によれば、携帯電話装置にて地上波ＴＶを視聴する場合、通常モードに加え低消費電流の低電力モードを備えるので、限られた電池容量でより長時間のＴＶ視聴が可能となる。
【発明を実施するための最良の形態】
【００１７】
以下、本発明を実施するための最良の形態について添付図面を参照して詳細に説明する。
【実施例１】
【００１８】
図１に本発明の実施例の構成を示す。１はＴＶ電波・携帯電話（以下、ＰＤＣ）電波をキャッチするアンテナ、２はＴＶ電波とＰＤＣ電波を分別するダイプレクサ、３はＰＤＣの送信・受信を切り替えるアンテナＳＷ、４はＰＤＣの受信部、５はＰＤＣの送信部、６はＴＶの受信部、７はＴＶの音声検波部、８はＴＶの映像検波部、９はＮＴＳＣデコーダでアナログ信号をデジタル信号に変換しＬＣＤに表示出来る様にするもの、１０はＰＤＣ・ＴＶのコントロールと各信号を処理する制御部、１１はＬＣＤでＴＶ画面やＰＤＣの表示を行い、１２はスピーカーでＴＶ音声やＰＤＣ音声を鳴らす。制御部１０は、ＰＤＣＣＡＮＴＳＷ３・ＰＤＣ受信部４・ＰＤＣ送信部５・ＴＶ受信部６・音声検波部７・映像検波部８・ＮＴＳＣデコーダ９の動作を制御し電源の制御も行う（図中点線矢印）。本発明では、映像検波部８とＮＴＳＣデコーダ９を制御部１０が間欠動作で制御可能にした事がポイントである。
【００１９】
次に本発明の実施例の動作について説明する。
図２に示すように、通常のＴＶ画像は１秒間に約６０枚の画面があり、その１つを１ｆｒａｍｅと呼ぶ。１秒間に６０ｆｒａｍｅあるので、６０ｆｐｓ(1frame per second )と表現する。１ｆｒａｍｅ当たりの時間は、１ｓｅｃ／６０＝１６．７ｍｓｅｃとなる。一方、音声はｆｒａｍｅの概念は無くｒａｄｉｏと同じ様にリアルタイムで途切れなく流れ続ける。通常、ＴＶを見る場合、ＴＶ受信部は全てのｆｒａｍｅを受信し、全てのｆｒａｍｅを画像検波部で検波し、画像として映し出す。これを通常モードと呼ぶ事とする。任意にＴＶをＯＮした場合、ＴＶ受信部・音声検波部・画像検波部・ＮＴＳＣデコーダはＯＮし、ＴＶ受信部安定時間、音声検波部安定時間、画像検波部安定時間、ＮＴＳＣデコーダ安定時間＝０．７ｍｓｅｃを経て画面が映る。一般的に受信機は、安定時間が必要で安定時間を考慮して設計を行う。
【００２０】
図３には、本発明による画像検波部・ＮＴＳＣデコーダの間欠動作の様子を示す。連続したｆｒａｍｅを全て検波し画像とする通常モードとは異なり、ｆｒａｍｅを１つ飛ばしに検波している。これを低電力モードという。ｆｒａｍｅ１，３，５，７・・・と奇数ｆｒａｍｅの時だけ画像検波部・ＮＴＳＣデコーダをＯＮとし、偶数ｆｒａｍｅ２，４，６，８・・・は画像検波部・ＮＴＣＳＣデコーダをＯＦＦとしている。受信するｆｒａｍｅのやや前（画像検波部安定時間、ＮＴＳＣデコーダ安定時間＝０．７ｍｓｅｃ分）に画像検波部・ＮＴＳＣデコーダを立ち上げ奇数ｆｒａｍｅは全て検波し画像とする。こうする事で画像検波部・ＮＴＳＣデコーダＯＮ時間は１７．４ｍｓｅｃとなり、画像検波部・ＮＴＳＣデコーダＯＦＦ時間は１６．０ｍｓｅｃとなる。画像検波していない偶数ｆｒａｍｅでは、画面を消す訳ではなく２ｆｒａｍｅ連続して１ｆｒａｍｅ分を画面表示する。一方、音声は間欠動作をさせると音が途切れ途切れになってしまうので映像のように間欠動作は出来無い。ＴＶ受信部にしても映像電波と音声電波の両方を受信しているので間欠動作は出来無い。あくまで間欠動作が可能なのは画像検波部とＮＴＳＣデコーダとなる。この低電力モードでは、前記説明した様に奇数ｆｒａｍｅのみの画像検波なので通常モードの６０ｆｐｓに対し３０ｆｐｓとなり画像はやや滑らかでは無くなる。しかしながら小さなＬＣＤ画面のＰＤＣ端末ではさほど気にならないレベルである。
【００２１】
図４には、低電力モードで１５ｆｐｓの場合を示す。３０ｆｐｓでは２ｆｒａｍｅ中１ｆｒａｍｅを画像検波していたが、１５ｆｐｓでは４ｆｒａｍｅ中１ｆｒａｍｅを画像検波としている。滑らかさは１０ｆｐｓ程度が限界と言われている。
【００２２】
図５には、本発明の効果を示す。ＴＶ系の各ブロックに消費電流を記載した。１．ＴＶ受信部は１００ｍＡ、２．音声検波部は５０ｍＡ、３．映像検波部は５０ｍＡ、４．ＮＴＳＣデコーダは５０ｍＡである。通常モード（６０ｆｐｓ）の場合は、ＴＶ視聴中常時全てのブロックがＯＮしているのでＯＮ率は１００％で消費電流は２５０ｍＡ、低電力モード（３０ｆｐｓ）の場合は、３．映像検波部と４．ＮＴＳＣデコーダが間欠動作するので、図３に示すように、ＯＮ率は５２％（１７．４ｍｓｅｃ／（１７．４ｍｓｅｃ＋１６．０ｍｓｅｃ））となり消費電流は２０２ｍＡで、通常モード比４８ｍＡの電流削減が可能となる。低電力モード（１５ｆｐｓ）の場合も、３．映像検波部と４．ＮＴＳＣデコーダが間欠動作するので図４よりＯＮ率は２６％（１７．４ｍｓｅｃ／（１７．４ｍｓｅｃ＋４９．４ｍｓｅｃ））となり消費電流は１７６ｍＡで、通常モード比７４ｍＡの電流削減が可能となる。
【実施例２】
【００２３】
図６に本発明の実施例２を示す。これは、ロジックＩＣ（ＮＴＳＣデコーダ）が出す高調波ノイズをタイミング的にズラしてＰＤＣへの受信妨害を避けようとするものである。図に示す様にＰＤＣは待受時、７２０ｍｓｅｃに一回６．６７ｍｓｅｃ間、受信部を立ち上げＰＤＣ基地局に同期していて通信可能状態である事を確かめる。スーパーフレーム待受状態という。一方、ＴＶは低電力モード１５ｆｐｓの場合、４ｆｒａｍｅ中１ｆｒａｍｅを画像検波しているがＰＤＣスーパーフレーム動作と競合した場合、そのＰＤＣ動作と競合するＴＶのｆｒａｍｅは画像検波せず１つ前のＰＤＣ動作と競合しないｆｒａｍｅを画像検波する様にする。何故競合しない様にずらすのかと言えば、画像検波する場合には、ロジックＩＣであるＮＴＳＣデコーダが動作し、動作クロックの高調波がＰＤＣ受信を妨害する可能性があるためである。例えば、クロック１００ＭＨｚで動作するロジックＩＣは、２倍・３倍・４倍・・・・数十倍まで高調波を発生する。この何倍かの高調波がＰＤＣの受信周波数と重なった場合、ＰＤＣの受信妨害をする。受信妨害されたＰＤＣは、ＰＤＣ基地局の電波を取れず同期が外れ圏外となり通信不可能な状態に陥ってしまう。これを避けるために、ＴＶの画像検波のタイミングをずらし、ＰＤＣとＴＶの競合動作を無くす。人間の目ではこの程度の差は分からない。
【００２４】
以上、本発明の実施例によれば、ＴＶ視聴する場合、通常ＴＶ視聴が６０ｆｐｓなのに対し３０ｆｐｓもしくは１５ｆｐｓである低電力モードを有し、低電力モード時にはＴＶ映像検波部とＮＴＳＣデコーダを間欠に動作させ、電池寿命を長くさせることができる。
【産業上の利用可能性】
【００２５】
本発明は、上記実施例に限定されるものではなく、その要旨を逸脱しない範囲において種々の変更が可能であり、例えば、携帯電話機以外の携帯端末等においても適用可能である。
【図面の簡単な説明】
【００２６】
【図１】本発明の実施例の構成を示すブロック図である。
【図２】本発明の実施例１の動作を示すタイミングチャートである。
【図３】本発明の実施例１の動作を示すタイミングチャートである。
【図４】本発明の実施例１の動作を示すタイミングチャートである。
【図５】本発明の実施例１の動作を示す説明図である。
【図６】本発明の実施例２の動作を示すタイミングチャートである。
【符号の説明】
【００２７】
１    アンテナ
２    ダイプレクサ
３    ＰＤＣＡＮＴＳＷ
４    ＰＤＣ受信部
５    ＰＤＣ送信部
６    ＴＶ受信部
７    音声検波部
８    映像検波部
９    ＮＴＳＣデコーダ
１０    制御部
１１    ＬＣＤ
１２    ＳＰ
【図１】
2005072803.tif 000003
【図２】
2005072803.tif 000004
【図３】
2005072803.tif 000005
【図４】
2005072803.tif 000006
【図５】
2005072803.tif 000007
【図６】
2005072803.tif 000008